(57)【要約】【課題】印刷機のローラの幅を横切って分散される空気の量をユーザが逐次に調整できるようにするために長さ方向に沿って空気制御弁を有する分割空気分散バーを提供することである。【解決手段】コアンダ効果をつくるように構成されて、複数の給気孔と流体連通している通路を有する本体、前記本体に取り付けられ、前記複数の給気孔の各々のためのもので一直線に並んだエアギャップを有し、コアンダ効果を生じさせるように前記本体と作用するように構成された空気案内板、及びエアギャップを通る空気の流れを調整するために前記空気案内板に調節可能に取り付けられた各エアギャップに対して少なくとも一つある空気流ノブを備える分割空気分散バーを供することによる。【選択図】図１
2005096080.tif 000002
【特許請求の範囲】
【請求項１】
コアンダ効果をつくるように構成されて、複数の給気孔と流体連通している通路を有する本体、
前記本体に取り付けられ、前記複数の給気孔の各々のためのもので一直線に並んだエアギャップを有し、コアンダ効果を生じさせるように前記本体と作用するように構成された空気案内板、
及び
エアギャップを通る空気の流れを調整するために前記空気案内板に調節可能に取り付けられた各エアギャップに対して少なくとも一つある空気流ノブ
を備える分割空気分散バー。
【請求項２】
前記空気分散バーをインキローラに隣接して調節可能に取り付ける２本の締め付けアームを更に備える請求項１に記載の分割空気分散バー。
【請求項３】
各前記締め付けアームは、偏った固定構成要素を用いて一つに固定される上部クランプと下部クランプを備え、前記締め付けアームは、タイロッドのまわりに旋回することができ、前記空気バーは、締め付けアームに付いているファスナを緩める必要なく、ピボットスタッドのまわりに旋回することができるようになっている請求項２に記載の分割空気分散バー。
【発明の詳細な説明】
【技術分野】
【０００１】
本発明は、一般的にいえば分割空気分散バーに関し、さらに詳しくいえば、本発明は印刷機のローラの幅を横切って分散される空気の量をユーザが逐次に調整できるようにするために長さ方向に沿って空気制御弁を有する分割空気分散バーに関する。
【背景技術】
【０００２】
オフセット印刷の間、印刷機のローラ上のインキの中に過剰な湿し水の蓄積を生じることはまれでない。その発生は、印刷工程に付き物である。しかし、このような蓄積は、ローラの幅全体に均一に発生しない。過度の量の湿し水がインキによって捕捉されると、インキは水で飽和状態になって分解する。これは、一般に過乳化と呼ばれている。結果は、プリントにおける色濃度の極端なゴーストと減少、斑入りのプリント、インキ付きローラ上のインキ・パイリング及び見当狂いと紙送り問題をもたらすシート・カールである。諸問題をなくすために、印刷機作業者は、通常全てのインキトレインと湿し装置を掃除して、そのあとインキだめ及び湿し水だめに補給しなければならない。この作業停止は、製品配送遅延とかなりの経済損失をもたらす。
【０００３】
いろいろな試みが過剰な湿し水蓄積を防ぐため及び／又は過乳化インキから過剰な湿し水を取り除くために行われた。一つの方法は、過剰な湿し水を強制的に蒸発させるために一つ以上のインキ付きローラの面に対して空気の流れを導く空気バーを設置することである。この方法を例証する二つの発明は、ラーナスタ（Ｌｅｒｎａｓｔｅｒ）の米国特許第４，５２４，６８９号及びスミス（Ｓｍｉｔｈ）の米国特許第５，０８５，１４２号に開示されている。過剰な湿し水蓄積を防ぐため及び／又は過乳化インキから過剰な湿し水を取り除くためにその他の試みがヘイズ（Ｈａｙｅｓ）の米国特許第５，４５４，３１０号において例証されているように行われた。
【０００４】
本発明は、壁面に沿って空気の比較的少量を運ぶ種類のいわゆる「空気ナイフ」または「空気アンプ」を組み込んで、空気がその壁面に付着するようにするようなものである。この現象は、「コアンダ（ｃｏａｎｄａ）」効果と呼ばれている。この少量の空気は、非常に多量の空気を比較的少量の空気とともに引き入れる隣接の空気に吸引作用を起こさせる。３０〜１のオーダーの空気量の増幅をそのような空気アンプで達成することができる。
【０００５】
コアンダ効果を達成するのに必要な構造は、本来ベンドの回りに湾曲する壁面に隣接したハウジング部材に形成された薄くて、細長いスロットまたはノズルを備えている。一般に、このベンドは、最高９０度にすることができる。比較的高い速度で、比較的少量の空気流を湾曲した壁面に沿ってスロットから運ぶ。スロットを所望の比較的細い開きに維持し、壁面の輪郭を制御することによって、比較的高い速度で、比較的少量の空気が壁面に付着して、壁面の湾曲部の周りを運ばれることを確実にすることが可能である。これは、次に、比較的多量の空気を連行する吸引作用をスロットの近くに生じさせる。
【０００６】
アンプの構造は、当業者にとって公知で、一般に市場で入手可能である。一つのそのようなアンプは、イクセア社（Exair Corporation）（シンシナティ、オハイオ州）から、商品名イクセア・エアナイフ（Exair Air Knife）で入手できる。当業者はコアンダ効果をつくるのに必要な動作の寸法とパラメータ及び結果として生じる空気増幅の結果を気付いているだろう。
【０００７】
コアンダ効果を使用する一つの装置がサンドウィガ・アイゼンフッテ（Ｓｕｎｄｗｉｇｅｒ  Ｅｉｓｅｎｈｕｔｔｅ）の米国特許第５，３１３，６８５号に開示されており、その内容は本願明細書に引用することによって組み込まれている。この装置は、ストリップが移動している方向に横に配置されて、ストリップの運動の方向と反対方向に約４５〜９０度の角度でストリップの面に向けられるスロットノズルを有する装置から移動するストリップの上へ吹き付けられる空気によって移動している鋼帯の表面から液体を除去するためのものである。前記装置は、ストリップの表面から取り除かれるすべての液体を吸い取る手段を更に備えている。
【０００８】
コアンダ効果を使用するもう一つの装置がポール・ホーン（Ｐａｕｌ  Ｈｏｒｎ）の米国特許第５，４９０，３００号に開示されており、その内容は本願明細書において引用することによって組み込まれている。前記装置は、掃除されることになっている網の目状の材料に隣接して配置される。比較的少量の圧縮空気が湾曲壁面上へスロットから吹きつけられる。コアンダ効果は、その圧縮空気に壁へ付着させ、壁に付着している少量の空気とともに引かれるスロットから上流の比較的多量の空気流をつくる吸引作用を生じさせる。多量の増幅された空気の流れは、掃除されるべき網目状の材料から不純物を連行するために掃除されるべき網目状の材料の表面に沿って引かれる。負圧源を壁の端に隣接して取り付けて、不純物が負圧源に吸い込まれて、領域から除去されるようにする。さらに、イオン化された粒子は、システムの清掃効率を大きくするために比較的多量の空気流の中へ導かれる。
【０００９】
コアンダ効果を使用するもう一つの装置がポール・ホーン（Ｐａｕｌ  Ｈｏｒｎ）ほかの米国特許第５，４９１，６０２号に開示されており、その内容は本願明細書において引用することによって組み込まれている。より詳しくは、空気分散板に向けられている圧縮空気によって吹きつけられるコンバータを備えているイオン化装置を組み込んでいる空気増幅装置が開示されている。コンバータはイオン化装置用の動力源となる。このようにして、空気分散板とイオン化装置は容易に収容されるユニットにすることができる。このシステムは、イオン化装置（例えばイオン化バー）に電気的に接続されているタービンから成る。
【発明の開示】
【発明が解決しようとする課題】
【００１０】
本発明は、コアンダ効果を利用する種類のいわゆる「エアナイフ」または「エアアンプ」（それは、壁面に沿って比較的少量の空気を吹きつけて空気がその壁面に付着するようにする）を組み込んでいる。この少量の空気は、非常に多量の空気を比較的少量の空気とともに連行する隣接した空気の中に吸引作用を生じさせる。３０〜１のオーダーの空気量の増幅をそのようなエアアンプで達成できる。
【００１１】
例えば、米国特許第５、４９０、３００号と米国特許第５、４９１、６０２号において開示されているエアナイフを組み込んだ既存のシステムは、空気バーの幅を横切る空気の流れを変えるための方法を与えない点で欠けている。空気バーから利益をうるために空気流のそのような制御を必要とする多くのアプリケーションがあるという点で、これはかなりの短所である。一つのそのようなアプリケーションは、印刷機のローラ上のインキに過剰な湿し水の蓄積の制御である。そのような蓄積がローラ全体に均一に発生しないことは、当業者には周知である。
【００１２】
オフセット平版印刷機の各印刷ヘッドは、いくつかの基本的構成要素とアセンブリ（インキトレイン、湿し装置、版シリンダ付き印刷版、ゴム胴付きブランケット及び圧筒）から成る。これらの構成要素とアセンブリは、枚葉紙または巻取紙に適当なインキ画像とインキ膜厚を塗るために協同する。
【課題を解決するための手段】
【００１３】
本発明によれば、コアンダ効果をつくるように構成されて、複数の給気孔と流体連通している通路を有する本体、前記本体に取り付けられ、前記複数の給気孔の各々のためのもので一直線に並んだエアギャップを有し、コアンダ効果を生じさせるように前記本体と作用するように構成された空気案内板、及びエアギャップを通る空気の流れを調整するために前記空気案内板に調節可能に取り付けられた各エアギャップに対して少なくとも一つある空気流ノブを備える分割空気分散バーが提供される。
【発明を実施するための最良の形態】
【００１４】
本発明が属する]技術の当業者が本願明細書に記載される分割空気分散バーを製作し使用する方法をより容易に理解するように、図面を参照して本発明の好ましい実施例を詳細に説明する。
【００１５】
図１は、印刷ヘッドの一部分から見た三つのインキローラ２０の斜視図である。
当業者は、そのようなローラがローラ・キャリアによって印刷ヘッドの側枠に取り付けられ、そのローラ・キャリアは、側枠に固定されるか又は印刷ヘッドが使用中でないとき、ローラを切り離すことができるように可動であるどちらでもよい。
【００１６】
空気バー２２が２ 本のピボットスタッド２４、２ 本の締め付けアーム２６及び１本のタイロッド２８でインキローラ２０に隣接して取り付けられている。タイロッド２８は、印刷ヘッドの側枠に堅く取り付けられている。空気は、給気筒３０を通して空気バーに供給される。作業者が逐次フロー制御調節ノブ３２を使用してローラの幅全体にわたる空気の流れを制御する。
【００１７】
図２は、空気バー締め付けアーム２６（断面図）を印刷ヘッドに組立てられて、「オン」位置に回動された空気バー２２（断面図）を例示している図１の線２−２から見た側面図である。空気バー２２が「オン」位置になるために動かされる運動の方向は、矢印「Ａ」によって示されている。一般に、「オン」位置は、空気バーがインキローラ２０の十分に近くにあって、空気バー２２によって生じる空気流３４がインキローラ２０上の乳化インキから湿し水を蒸発させやすくするところである。空気バーは、矢印「Ｂ」によって示される矢印の方向に空気バー２２を移動することによって「オフ」位置に移される。
【００１８】
各締め付けアーム２６は、上部クランプ３６と下部クランプ３８を備えている。
上部クランプ３６と下部クランプ３８は、段付きボルト４０で互いに取り付けられる。各段付きボルト４０の頭とそれらが入る各カウンタボアの底との間にはばね４２がある。この構成によって、締め付けアーム２６が矢印「Ａ」と「Ｂ」の方向にタイロッド２８のまわりに旋回することができるとともに、空気バー２２が矢印「Ｃ」と「Ｄ」の方向にピボットスタッド２４のまわりに旋回することができる。この装置によって、印刷機作業者が空気バー２２をインキローラ２０上の乳化インキから湿し水を除くのに最も有効な位置に正確に置くことができる。
【００１９】
図３（図１からとられかつ１８０度回転されている）は、空気バー締め付けアーム２６、タイロッド２８及びインキンローラ２４のない空気バー２２を例示している背面図である。図４（図３からとられている）は、空気バーの断面図である。図３と４の両方を考えると、空気バー２２は、取付けファスナ４８で空気案内板４６が取り付けられる本体４４を含むように示されている。本体４４には、その長さ方向に伸びている主空気通路５０がある。空気は、空気管コネクタ３１を介して給気管３０を通して通路５０に供給される。通路５０の対向端部は、ねじ付きプラグ３３で閉め切られている。
【００２０】
本体４４は、各フロー制御ノブ３２のための給気孔５２を更に備えている。各給気孔５２は、通気口５４を経て空気通路５０と流体連通している。空気案内板には、各給気空孔５２に一つずつ精密エアギャップ凹部５６がある。図５は、精密エアギャップ凹部５６を示している空気案内板の斜視図である。
【００２１】
動作について説明すると、印刷機作業者がインキローラ２０において乳化された湿し水があると決めると、作業者は「オフ」位置から「オン」位置へ空気バー２２を調整する。作業者は、次に空気源をオンにし（そして、必要に応じて圧力を調整する）、本体４４の空気通路５０へ給気管３０を通して空気を与える。フロー制御ノブ３２を用いて、次に、作業者は、乳化が発生している場所に従い、インキローラ２０の幅を横切って各部分に行く空気の流れを調整する。
【００２２】
本発明の好ましい実施例を開示したが、当業者はある程度の変更態様が本発明の範囲内に入ると認めるであろう。
【図面の簡単な説明】
【００２３】
【図１】印刷機（分割された空気分散バー（「空気バー」）の印刷ヘッド（３本のインキローラ）の一部分及び空気バーを印刷機に取り付ける機構の斜視図である。
【図２】図１からとられ、空気バー締め付けアーム２６（断面図）を印刷ヘッドに組立てられて、「オン」位置に回動された空気バー２２（断面図）を例示している側面図である。
【図３】図１からとられかつ１８０度回転されており、空気バー締め付けアーム２６、タイロッド２８及びインキンローラ２４のない空気バー２２を例示している背面図である。
【図４】図３からとられた空気バーの断面図である。
【図５】空気案内板の斜視図である。
【符号の説明】
【００２４】
２０          インキローラ
２２          空気バーアセンブリ
２４          ピボットスタッド
２６          締め付けアーム
３０          空気管
３２          逐次フロー制御調整ノブ
５０          主空気通路
５６          エアギャップ
【図１】
2005096080.tif 000003
【図２】
2005096080.tif 000004
【図３】
2005096080.tif 000005
【図４】
2005096080.tif 000006
【図５】
2005096080.tif 000007